(57)【特許請求の範囲】
【請求項１】
ケーシングとこのケーシングの底部内壁面をスライドするスライダと前記ケーシングにおける前記スライダの上方に固定されたガイド部材とこのガイド部材に沿ってスライドするノブ部材とを備え、
前記スライダの両側上部には前記ノブ部材が衝突する衝突受部が形成されているとともに前記ノブ部材は前記衝突受部との間にスライド範囲を有し、前記ケーシングの底部内壁面には一対の断面Ｖ字状の第一クリック用凹部が隣り合う状態で形成されているとともに前記スライダの下面には第一クリック球が第一圧縮コイルばねによって前記一対の第一クリック用凹部に選択的に係止するように弾発的に設置され、且つ、前記ガイド部材のガイド面の両端部に各々第二クリック用凹部を形成するとともに前記ノブ部材の下面に第二クリック球が第二圧縮コイルばねによって前記一対の第二クリック用凹部に選択的に係止するように弾発的に設置され、前記スライダと前記ノブ部材は同じ方向にスライドし、前記第一クリック球が前記片方の第一クリック用凹部に係止しているとき前記ノブ部材は前記スライダの同じ側の衝突受部に衝突しているとともに前記第二クリック球はこの第一クリック用凹部と同側の第二クリック用凹部に係止することができ、前記第一クリック球が前記他方の第一クリック用凹部に係止しているとき前記ノブ部材は前記スライダの他側の衝突受部に衝突しているとともに前記第二クリック球は他方の第二クリック用凹部に係止することができ、第二クリック用凹部は前記第一クリック用凹部よりも浅く、且つ、前記第二圧縮コイルばねの弾性は前記第一圧縮コイルばねの弾性よりも弱いことを特徴とするスライド接点スイッチ。
【請求項２】
前記ケーシングに前記ノブ部材の突出部がスライドするスライド孔を設け、前記第一クリック球が前記片方の第一クリック用凹部に係止しているとき前記ノブ部材の突出部は前記スライド孔の同じ側の端部に位置し、前記第一クリック球が前記他方の第一クリック用凹部に係止しているとき前記ノブ部材の突出部は前記スライド孔の他側の端部に位置していることを特徴とする請求項１のスライド接点スイッチ。
【発明の詳細な説明】
【技術分野】
【０００１】
この発明はスライド接点スイッチに関し、例えば、車両におけるライトスイッチ、ターンスイッチ、前後進スイッチ、速度スイッチ等に使用されるものである。
【背景技術】
【０００２】
従来におけるこの種のスライド接点スイッチは、ケーシング内にスライダを設置し、ノブを介してこのスライダをクリックストップ式に移動することにより接点を切り替えていた。
【０００３】
【特許文献１】特開２００６−５９７６６号公報
【発明の開示】
【発明が解決しようとする課題】
【０００４】
しかしながら、かかる従来のスライド接点スイッチにあっては、手動操作によって接点の切り替えを行っていたため、切り替え速度が遅くなると切り替え点でのスパーク発生が大きくなり接点接触抵抗が増大する結果、発熱によって部品が焼損したり、接点間の絶縁破壊が発生しやすいという不都合を有した。
【０００５】
この発明の課題はこれらの不都合を解消することである。
【課題を解決するための手段】
【０００６】
前記不都合を解消するために、この発明に係るスライド接点スイッチにおいては、ケーシングとこのケーシングの底部内壁面をスライドするスライダと前記ケーシングにおける前記スライダの上方に固定されたガイド部材とこのガイド部材に沿ってスライドするノブ部材とを備え、
前記スライダの両側上部には前記ノブ部材が衝突する衝突受部が形成されているとともに前記ノブ部材は前記衝突受部との間にスライド範囲を有し、前記ケーシングの底部内壁面には一対の断面Ｖ字状の第一クリック用凹部が隣り合う状態で形成されているとともに前記スライダの下面には第一クリック球が第一圧縮コイルばねによって前記一対の第一クリック用凹部に選択的に係止するように弾発的に設置され、且つ、前記ガイド部材のガイド面の両端部に各々第二クリック用凹部を形成するとともに前記ノブ部材の下面に第二クリック球が第二圧縮コイルばねによって前記一対の第二クリック用凹部に選択的に係止するように弾発的に設置され、前記スライダと前記ノブ部材は同じ方向にスライドし、前記第一クリック球が前記片方の第一クリック用凹部に係止しているとき前記ノブ部材は前記スライダの同じ側の衝突受部に衝突しているとともに前記第二クリック球はこの第一クリック用凹部と同側の第二クリック用凹部に係止することができ、前記第一クリック球が前記他方の第一クリック用凹部に係止しているとき前記ノブ部材は前記スライダの他側の衝突受部に衝突しているとともに前記第二クリック球は他方の第二クリック用凹部に係止することができ、第二クリック用凹部は前記第一クリック用凹部よりも浅く、且つ、前記第二圧縮コイルばねの弾性は前記第一圧縮コイルばねの弾性よりも弱くしたものである。
【０００７】
また、前記ケーシングに前記ノブ部材の突出部がスライドするスライド孔を設け、前記第一クリック球が前記片方の第一クリック用凹部に係止しているとき前記ノブ部材の突出部は前記スライド孔の同じ側の端部に位置し、前記第一クリック球が前記他方の第一クリック用凹部に係止しているとき前記ノブ部材の突出部は前記スライド孔の他側の端部に位置するようにすることもできる。
【発明の効果】
【０００８】
この発明に係るスライド接点スイッチにおいては上記のように構成されているため、アクション部の操作速度が遅くなってもスライダによるクリックストップ式の接点の切り替えは瞬時に行われるものである。
【０００９】
よって、このスライド接点スイッチを使用すれば、手動操作によって接点の切り替え速度が遅くなっても、切り替え点でのスパーク発生は通常通りであり接点接触抵抗が増大することはない結果、従来のように発熱によって部品が焼損したり、接点間の絶縁破壊が発生することはないものである。
【００１０】
また、前記ケーシングに前記ノブ部材の突出部がスライドするスライド孔を設け、前記第一クリック球が前記片方の第一クリック用凹部に係止しているとき前記ノブ部材の突出部は前記スライド孔の同じ側の端部に位置し、前記第一クリック球が前記他方の第一クリック用凹部に係止しているとき前記ノブ部材の突出部は前記スライド孔の他側の端部に位置するようにすることもできる。
【発明を実施するための最良の形態】
【００１１】
この発明に係るスライド接点スイッチは実施するにあたって下記の構成に最も主要な特徴を有する。
【００１２】
ケーシング内をスライダがクリックストップ式に移動して接点を選択的に切り替える。
【００１３】
前記ケーシングに前記スライダを操作するアクション部を設ける。このアクション部は、前記ケーシングに固定されたガイド部材とこのガイド部材に沿ってスライドするノブ部材とからなる。前記ガイド部材に沿って前記ノブ部材がスライドして前記スライダに衝突し、押し出すことによって前記スライダのクリックストップ機構を作動させる。
【００１４】
前記ノブ部材を前記ガイド部材のスライド端に係止可能とする。
【実施例】
【００１５】
以下、この発明の実施例を図面に基づいて説明する。
図１はこの発明に係るスライド接点スイッチの切り替え前の断面図、図２は同切り替え直前の断面図、図３は同切り替え後の断面図、図４は同切り替え後から切り替え前に戻る直前の断面図である。
【００１６】
図１〜４において、Ａはスライド接点スイッチ、１０はそのケーシングである。１１、１２は第一クリック用凹部であり、前記ケーシング１０の底部内壁面に形成されている。この第一クリック用凹部１１，１２には後記第一クリック球２２が係止する。また、１３はスライド孔であり、後記ノブ部材４０の突出部がスライドするためのものである。
【００１７】
２０はスライダであり、前記ケーシング１０内にスライド可能に内嵌めされている。このスライダ１０の移動によって接点の切り替えが行われる。なお、接点は図示しない。２１は取付穴であり、前記スライダ２０の下面に形成されている。この取付穴２１は前記ケーシング１０の接触面に向かって開口している。２２は第一クリック球であり、前記取付穴２１に設置されている。この第一クリック球２２は第一圧縮コイルばね２３によって外側に弾発され、先端部が前記第一クリック用凹部１１、１２に選択的に係止する。
【００１８】
２４，２５は衝突受け部であり、前記スライダ２０の両側の上部に形成されている。この衝突受け部２４、２５は対向した状態で配置されている。
【００１９】
３０はガイド部材であり、前記ケーシング１０に設置されている。このガイド部材３０のガイド面３１は前記スライダ２０のスライド方向に沿っている。３２，３３は第二クリック用凹部であり、前記ガイド部材３０における前記ガイド面３１の両端部に形成されている。この第二クリック用凹部３２，３３には後記第二クリック球４２が係止する。
【００２０】
４０はノブ部材であり、前記ガイド部材３０のガイド面３１に沿って前記ケーシング１０の上部内壁面をスライドする。このノブ部材４０の上端部は前記ケーシング１０のスライド孔１３から突出している。この突出部を介して前記ノブ部材４０を操作する。４１は取付穴であり、前記ノブ部材４０の下面に形成されている。この取付穴４１は前記ガイド部材３０のガイド面３１に向かって開口している。４２は第二クリック球であり、前記取付穴４１に設置されている。この第二クリック球４２は第二圧縮コイルばね４３によって外側に弾発され、先端部が前記第二クリック用凹部３２、３３に係止する。
【００２１】
なお、第二クリック用凹部３２，３３は前記第一クリック用凹部１１、１２よりも浅く、且つ、前記第二圧縮コイルばね４３の弾性は前記第一圧縮コイルばね２３の弾性よりも弱いため、ケーシング１０に対するスライダ２０のクリックストップよりもガイド部材３０に対するノブ部材４０のクリックストップの方が軽く、ガイド部材３０に対するノブ部材４０が優先して移動するものである。
【００２２】
４４，４５は衝突部であり、前記ノブ部材４０の両側面に突設されている。この衝突部４４、４５は前記衝突受け部（スライダ２０の）２４，２５に衝突する部分である。この衝突部４４，４５のスライド範囲Ｓがこの発明の「あそび」に相当する。
【００２３】
上記ガイド部材３０と上記ノブ部材４０によってこの発明の「アクション部材」を構成する。
【００２４】
次に、このスライド接点スイッチＡの作動について説明する。
【００２５】
図１は、接点切り替え前の状態である。前記スライダ２０はケーシング１０の左側に位置し、第一クリック球２２は第一クリック用凹部１１に係止されている。また、前記ノブ部材４０は前記ガイド部材３０の左端に位置し、第二クリック球４２は第二クリック用凹部３２に係止されている。このとき、前記ノブ部材４０の衝突部４４は前記スライダ２０の衝突受け部２４に接触している。
【００２６】
この状態で前記ノブ部材４０を前記第二圧縮コイルばね４３の弾性に抗して右方向に移動し、図２に示すように、衝突部（ノブ部材４０の）４５を前記スライダ２０の衝突受け部２５に衝突させる。この状態で、更に、前記ノブ部材４０によって前記スライダ２０を第一圧縮コイルばね２３の弾性に抗して押し続け、図３に示すように、前記スライダ２０をケーシング１０の右側に位置させ、第一クリック球２２は第一クリック用凹部１２に係止させ、接点切り替え後の状態となる。このとき、前記ノブ部材４０は前記ガイド部材３０の右端に位置し、第二クリック球４２は第二クリック用凹部３３に係止する。また、
前記ノブ部材４０の衝突部４５は前記スライダ２０の衝突受け部２５に接触している。
【００２７】
接点切り替え前の状態（図１の状態）に戻す場合には、前記切り替える操作と逆の操作をすればよい。即ち、前記ノブ部材４０を前記第二圧縮コイルばね４３の弾性に抗して左方向に移動し、図４に示すように、衝突部（ノブ部材４０の）４４を前記スライダ２０の衝突受け部２４に衝突させ、この状態で、更に、前記ノブ部材４０によって前記スライダ２０を第一圧縮コイルばね２３の弾性に抗して押し続け、図１の状態にすればよい。
【産業上の利用可能性】
【００２８】
この発明に係るスライド接点スイッチは、アクション部の操作速度が遅くなってもスライダによるクリックストップ式の接点の切り替えは瞬時に行われる。手動操作によって接点の切り替え速度が遅くなっても、切り替え点でのスパーク発生は通常通りであり接点接触抵抗が増大することはない結果、従来のように発熱によって部品が焼損したり、接点間の絶縁破壊が発生することはない。よって、産業上の利用可能性は高いものである。
【図面の簡単な説明】
【００２９】
【図１】図１はこの発明に係るスライド接点スイッチの切り替え前の断面図である。
【図２】図２は同切り替え直前の断面図である。
【図３】図３は同切り替え後の断面図である。
【図４】図４は同切り替え後から切り替え前に戻る直前の断面図である。
【符号の説明】
【００３０】
Ａ  …  スライド接点スイッチ
１０  …  ケーシング
１１  …  第一クリック用凹部
１２  …  第一クリック用凹部
１３  …  スライド孔
２０  …  スライダ
２１  …  取付穴
２２  …  第一クリック球
２３  …  第一圧縮コイルばね
２４  …  衝突受け部
２５  …  衝突受け部
３０  …  ガイド部材（アクション部材）
３１  …  ガイド面
３２  …  第二クリック用凹部
３３  …  第二クリック用凹部
４０  …  ノブ部材（アクション部材）
４１  …  取付穴
４２  …  第二クリック球
４３  …  第二圧縮コイルばね
４４  …  衝突部
４５  …  衝突部
Ｓ  …  スライド範囲（あそび）
【図１】
0005241899.tif 000002
【図２】
0005241899.tif 000003
【図３】
0005241899.tif 000004
【図４】
0005241899.tif 000005